(57)【要約】【課題】  本発明は、従来に比して一段と音質の優れたスピーカを搭載したスピーカ搭載車載機器を実現できるようにする。【解決手段】  本発明は、車両のフロントコンソールに本体ユニット２が収納され、当該本体ユニット２の筐体に対して外付けにより液晶モニター付ＤＶＤプレーヤ４を接続するため当該筐体に設けられた車載機器用クレードル３における載置台９の接続端子１５と、筐体の前面に設けられたセンタースピーカ１０と、当該センタースピーカ１０に接続された筐体内部に位置するアンプ回路１１とを設けることにより、本体ユニット２に対して外付けにより液晶モニター付ＤＶＤプレーヤ４を接続し、本体ユニット２における筐体の前面にはセンタースピーカ１０を配置し得ると共に筐体自体をスピーカボックスとして用いることができる。【選択図】        図１
2006222653.tif 000002
【特許請求の範囲】
【請求項１】
車内空間のフロントコンソールにその筐体が収納された車載機器と、
上記車載機器の筐体に対して外付けにより外部機器を機械的及び電気的に接続するため当該筐体の所定位置に設けられた外部機器接続用端子と、
上記車載機器における筐体の前面に設けられたスピーカと
を具えることを特徴とするスピーカ搭載車載機器。
【請求項２】
上記スピーカ搭載車載機器は、
上記スピーカに接続された上記筐体の内部に位置するアンプ回路と
を具えることを特徴とする請求項１に記載のスピーカ搭載車載機器。
【請求項３】
上記スピーカは、上記車両の車内空間でサラウンドシステムを構築するためのセンタースピーカとして用いられる
ことを特徴とする請求項１に記載のスピーカ搭載車載機器。
【請求項４】
上記筐体の前面には、上記スピーカのポートが設けられている
ことを特徴とする請求項１に記載のスピーカ搭載車載機器。
【請求項５】
上記外部機器接続用端子は、上記筐体の背面に設けられている
ことを特徴とする請求項１に記載のスピーカ搭載車載機器。
【発明の詳細な説明】
【技術分野】
【０００１】
本発明は、スピーカ搭載車載機器に関し、例えば自動車の車内空間において５．１ｃｈサラウンドシステムを構築する際の理想的な位置にセンタースピーカを配置する用途に適用して好適なものである。
【背景技術】
【０００２】
従来、車内空間において５．１ｃｈサラウンドシステムを構築する場合、前部座席の右側及び左側と、後部座席の右側及び左側とにそれぞれ配置された４個のスピーカに加えて、センタースピーカを当該車内空間の何れかの場所に配置する必要がある。
【０００３】
ここでセンタースピーカは、前部座席の右側及び左側に配置された２つのフロントスピーカのほぼ真ん中に配置することが理想的である。このため、センターコンソールに収納されたＣＤ(Compact Disc)プレーヤの操作パネルが開かれた状態で、当該操作パネルにおける裏面のほぼ中央部分にセンタースピーカが設けられた音響装置がある（例えば、特許文献１参照）。
【特許文献１】特開2001-167568公報
【発明の開示】
【発明が解決しようとする課題】
【０００４】
ところでかかる構成の音響装置においては、操作パネルの裏面にセンタースピーカが設けられた構造であるために、搭載可能なセンタースピーカには構造上の限界を有し、当該センタースピーカの音質を更に向上させることは困難であるという問題があった。
【０００５】
本発明は以上の点を考慮してなされたもので、従来に比して一段と音質の優れたスピーカを搭載したスピーカ搭載車載機器を提案しようとするものである。
【課題を解決するための手段】
【０００６】
かかる課題を解決するため本発明においては、車両のフロントコンソールにその筐体が収納された車載機器と、当該車載機器の筐体に対して外付けにより外部機器を接続するため当該筐体の所定位置に設けられた外部機器接続用端子と、車載機器における筐体の前面に設けられたスピーカとを設けることにより、車載機器に対しては外付けにより外部機器を接続することができるので、車載機器における筐体の前面にはスピーカを配置し得ると共に筐体自体をスピーカボックスとして用いることができる。
【発明の効果】
【０００７】
本発明によれば、車載機器に対しては外部機器を外付けにより接続することができるので、車載機器における筐体の前面にはスピーカを配置し得ると共に筐体自体をスピーカボックスとして用いることができ、かくして従来に比して一段と音質の優れたスピーカを搭載したスピーカ搭載車載機器を実現することができる。
【発明を実施するための最良の形態】
【０００８】
以下、図面について、本発明の一実施の形態を詳述する。
【０００９】
（１）クレードル一体型車載機器の構成
図１において、１は本発明のスピーカ搭載車載機器としてのクレードル一体型車載機器を示し、車内空間のフロントコンソール（図示せず）に収納される本体ユニット２と、当該本体ユニット２と一体に設けられた車載機器用クレードル３とによって構成されており、当該車載機器用クレードル３を介して着脱自在に取り付けられる例えばポータブル型の液晶モニター付ＤＶＤ(Digital Versatile Disc)プレーヤ４が機械的かつ電気的に取り付けられる。
【００１０】
図１及び図２に示すように液晶モニター付ＤＶＤプレーヤ４は、その前面側にＬＣＤ(Liquid Crystal Display)５Ａを有するモニター部５と、背面側のＤＶＤプレーヤ本体部６とからなり、モニター部５が当該モニター部５の上端に設けられたヒンジ（図示せず）を介してＤＶＤプレーヤ本体部６から離れる方向又は近づく方向へ回動し得るようになされている。
【００１１】
実際上、液晶モニター付ＤＶＤプレーヤ４は、モニター部５が回動してＤＶＤプレーヤ本体部６から開いた状態のとき、当該ＤＶＤプレーヤ本体部６にＤＶＤ７が装填されたり又は当該ＤＶＤプレーヤ本体部６からＤＶＤ７が取り外されるようになされている。
【００１２】
なお液晶モニター付ＤＶＤプレーヤ４は、モニター部５におけるＬＣＤ５Ａの両側にスピーカ４Ａ及び４Ｂが設けられると共に、当該モニター部５の右側サイドに他の電子機器と接続するためジャック４Ｃが設けられている。
【００１３】
クレードル一体型車載機器１の本体ユニット２は、１ＤＩＮ(Deutsche Industrie Normen)規格サイズ若しくは２ＤＩＮ規格サイズの筐体でなり、５．１ｃｈサラウンドシステムにおけるセンタースピーカ１０がフロント正面に配置されると共に、その筐体が密閉型のスピーカボックスとして用いられるようになされている。
【００１４】
なお本体ユニット２は、その筐体内部にセンタースピーカ１０及びその他４個のスピーカ（図示せず）のスピーカ出力を増幅するためのアンプ回路１１が搭載されている。
【００１５】
このように本体ユニット２には、その筐体前面のほぼ中央にセンタースピーカ１０が配置され、そのスピーカユニット１０Ａの後方には所定の間隔をあけた状態でアンプ回路１１が配置されており、これにより当該センタースピーカ１０の周波数特性に悪影響が生じることを極力低減するようになされている。
【００１６】
また本体ユニット２は、センタースピーカ１０の上部に車載機器用クレードル３が取り付けられており、当該車載機器用クレードル３には断面略Ｌ字状の載置台９Ａが、本体ユニット２の筐体内部に対して引出収納自在に設けられたスライドレール２１及び２２の先端で回動自在に取り付けられた構成を有している。
【００１７】
具体的には、車載機器用クレードル３の載置台９は、当該載置台９の両サイドに沿って設けられたスライドレール２１及び２２の先端内部における軸１２を介して１８０度の範囲内で、当該載置台９が手前側に回動し得るようになされている。
【００１８】
この車載機器用クレードル３の載置台９（図１）は、液晶モニター付ＤＶＤプレーヤ４のＤＶＤプレーヤ本体部６の裏面側に設けられた所定形状の凸部（図示せず）と係合させるための凹部９Ｃが形成された後背部９Ａと、当該ＤＶＤプレーヤ本体部６を載せる部分となる載置部９Ｂとによって構成されている。
【００１９】
なお載置台９の載置部９Ｂには、液晶モニター付ＤＶＤプレーヤ４のＤＶＤプレーヤ本体部６と電気的な接続を図るための接続端子１５が形成されていると共に、液晶モニター付ＤＶＤプレーヤ４におけるＤＶＤプレーヤ本体部６の底部にも当該接続端子１５と電気的な接続を図るための接続端子８が設けられている。
【００２０】
また載置部９Ｂの接続端子１５は、本体ユニット２の筐体内部に実装されたアンプ回路１１と電気的に接続されている。
【００２１】
これにより車載機器用クレードル３は、ＤＶＤプレーヤ本体部６の凸部と載置台９の凹部９Ｃとが係合したとき、当該載置台９の接続端子１５とＤＶＤプレーヤ本体部６の接続端子８とを介し、当該液晶モニター付ＤＶＤプレーヤ４が立設した状態で機械的かつ電気的に接続される。
【００２２】
このような構成のクレードル一体型車載機器１では、図３に示すように液晶モニター付ＤＶＤプレーヤ４のモニター部５が閉じて、当該モニター部５とＤＶＤプレーヤ本体部６とが密着した状態で、図４に示すように車載機器用クレードル３の載置台９から取り外された後、当該載置台９が矢印に示すように１８０度回転し得るようになされている。
【００２３】
ここで車載機器用クレードル３の載置台９は、液晶モニター付ＤＶＤプレーヤ４が取り付けられた状態から１８０度回転し、当該載置部９Ｂの接続端子１５が下方向を向いた状態に変化すると、当該接続端子１５が設けられている載置部９Ｂとスライドレール２１及び２２とが直線状になる。
【００２４】
スライドレール２１は、当該スライドレール２１に略楕円形状の突出部３２及び３３が設けられており、当該突出部３２及び３３と、本体ユニット２の筐体内部に設けられたスライド溝３１とが係合する。
【００２５】
その際、スライドレール２１は、当該スライド溝３１の所定位置に取り付けられているストッパー３４により突出部３２及び３３間の範囲内で本体ユニット２の長手方向へ移動し得るようになされている。なおスライドレール２２においても、スライドレール２１と同様であるため、ここでは便宜上その説明は省略する。
【００２６】
すなわちクレードル一体型車載機器１では、図５に示すように車載機器用クレードル３の載置台９がスライドレール２１及び２２に沿って本体ユニット２の筐体内部に収納される方向へ移動されると、当該載置台９の後背部９Ａがセンタースピーカ９を覆い隠すための蓋となり、当該後背部９Ａの裏面９Ｄだけを露出するようになされている。
【００２７】
（２）液晶モニター付ＤＶＤプレーヤ４の回路構成
図６に示すように、液晶モニター付ＤＶＤプレーヤ４はＣＰＵ４１がＲＯＭ(Read Only Memory)４２に格納された基本プログラムやアプリケーションプログラムをＲＡＭ(Random Access Memory)４３上で起動し全体を統括制御すると共に、バス４６を介して接続されたＤＶＤドライブ４４により通常のＤＶＤ再生処理を実行し、再生映像をＬＣＤ５Ａによりディスプレイ表示し、再生音声をスピーカ４Ａ及び４Ｂから出力するようになされている。
【００２８】
ところで液晶モニター付ＤＶＤプレーヤ４は、車載機器用クレードル３の載置台９を介してクレードル一体型車載機器１と電気的に接続されたか否かを検出する接続状態検出回路４５を有し、当該液晶モニター付ＤＶＤプレーヤ４のＤＶＤプレーヤ本体部６が載置台９を介して車載機器用クレードル３に接続されたことを検出したときには、ＤＶＤドライブ５による再生音声をスピーカ４Ａ及び４Ｂから出力することを自動的に停止し、接続端子８を介してクレードル一体型車載機器１の本体ユニット２へ当該再生音声を出力するようになされている。
【００２９】
これによりクレードル一体型車載機器１の本体ユニット２では、液晶モニター付ＤＶＤプレーヤ４から供給されたＤＶＤドライブ５による再生音声を、アンプ回路１１によって所定レベルに増幅し、センタースピーカ１０及びその他４個のスピーカから出力するようになされている。
【００３０】
このように液晶モニター付ＤＶＤプレーヤ４は、車載機器用クレードル３を介してクレードル一体型車載機器１に接続された場合には、自身のスピーカ４Ａ及び４Ｂからの出力を停止するため、当該クレードル一体型車載機器１のセンタースピーカ１０やその他４個のスピーカからの出力によって得られるサラウンド効果を妨げずに済むようになされている。
【００３１】
（３）動作及び効果
以上の構成において、クレードル一体型車載機器１ではポータブル性の高い、それ自体が単独で動作する液晶モニター付ＤＶＤプレーヤ４を、車載機器用クレードル３を介して外付けにより本体ユニット２に取り付けられるようにしたことにより、当該本体ユニット２にはＤＶＤ７を装填するためのスロット機構や、ＬＣＤ５Ａ等の表示機構を本体ユニット２の筐体前面に配置する必要がなくなり、その筐体前面にセンタースピーカ１０を配置することを可能とした。
【００３２】
従ってクレードル一体型車載機器１は、本体ユニット２の筐体が車内空間のセンターコンソールに収納されるものであり、当該本体ユニット２の筐体前面にセンタースピーカ１０を搭載したことにより、５．１ｃｈサラウンドシステムの理想的な位置に当該センタースピーカ１０を配置することができた。
【００３３】
また、この本体ユニット２は筐体前面にセンタースピーカ１０を配置しただけの構造で、その筐体をスピーカボックスとして用いることができ、さらにその筐体内部においても、スピーカユニット１０Ａの後方に所定の間隔があけられた状態でアンプ回路１１が配置されているだけなので、当該センタースピーカ１０の周波数特性に悪影響が生じさせることがない。
【００３４】
ところでクレードル一体型車載機器１では、ユーザが車内空間から外部に出る際に、液晶モニター付ＤＶＤプレーヤ４を車載機器用クレードル３の載置台９から垂直方向に持ち上げることにより載置部９Ａの接続端子１５とＤＶＤプレーヤ本体部６の接続端子８との電気的接続を解除すると共に、当該ＤＶＤプレーヤ本体部６の裏面側に形成された凸部と後背部９Ｂの凹部９Ｃとの係合状態を解除する（図４）。
【００３５】
その後、クレードル一体型車載機器１では車載機器用クレードル３の載置台９が約１８０度回動されることにより、当該載置台９の載置部９Ａとスライドレール２１及び２２とが直線状に揃い、この状態で車載機器用クレードル３がユーザによって本体ユニット２の筐体内部に押し込まれる。
【００３６】
これによりクレードル一体型車載機器１では、車載機器用クレードル３の後背部９Ｂの裏面９Ｄが露出し、センタースピーカ１０を完全に覆い隠すことができるので、これまで液晶モニター付ＤＶＤプレーヤ４のＤＶＤプレーヤ本体部６を取り付けるために機能していた載置台９がセンタースピーカ１０を覆い隠すための蓋として機能することになる。
【００３７】
従ってクレードル一体型車載機器１は、液晶モニター付ＤＶＤプレーヤ４を使用しない環境下ではセンタースピーカ１０を使用する必要もなく、車載機器用クレードル３の載置台９における後背部９Ａを当該センタースピーカ１０の蓋として用いることにより、あたかもセンタースピーカ１０が存在しないように見せることができるので、本体ユニット２が露出状態にあることによる盗難の誘発を未然に防止し、セキュリティの向上を図ることができる。
【００３８】
ところで従来では、液晶モニター付ＤＶＤプレーヤ４が取り外されたときに、当該液晶モニター付ＤＶＤプレーヤ４を取り付けるためのクレードルの存在が確認できる状態で車内空間に残存し、邪魔になったり美観が損なわれることもあった。
【００３９】
しかしながら、このクレードル一体型車載機器１では、車載機器用クレードル３の載置台９における後背部９Ｂを当該センタースピーカ１０の蓋として用いると共に、当該載置台９の載置部９Ｂを本体ユニット２の筐体内部に収納し得るようにしたことにより、液晶モニター付ＤＶＤプレーヤ４が取り外された未使用時に載置台９が邪魔になることもなく、車内空間の美観が損なわれることを防止することができる。
【００４０】
以上の構成によれば、クレードル一体型車載機器１は、ポータブル性の高い、それ自体が単独で動作する液晶モニター付ＤＶＤプレーヤ４を、車載機器用クレードル３を介して外付けにより本体ユニット２に取り付けるようにしたことにより、当該本体ユニット２にはＤＶＤ７を装填するためのスロット機構や、ＬＣＤ５Ａ等の表示機構を本体ユニット２の筐体前面に配置する必要がなくなり、その筐体前面にセンタースピーカ１０を配置することができると共に筐体自体をスピーカボックスとして用いることができるので、従来に比してセンタースピーカ１０の音質を一段と向上させることができる。
【００４１】
（４）他の実施の形態
なお上述の実施の形態においては、センタースピーカ１０の幅よりも僅かに長い幅の載置台９を有する車載機器用クレードル３によって液晶モニター付ＤＶＤプレーヤ４のＤＶＤプレーヤ本体部６を取り付けるようにした場合について述べたが、本発明はこれに限らず、図７に示すように本体ユニット２の前面の幅とほぼ同じ幅の載置台５９を有する車載機器用クレードル５３によって液晶モニター付ＤＶＤプレーヤ４のＤＶＤプレーヤ本体部６を取り付けるようにしても良い。この場合、車載機器用クレードル５３は後背部５９Ａによって本体ユニット２の前面を全て覆い隠すことができる。
【００４２】
また上述の実施の形態においては、車載機器用クレードル３の載置台９における後背部９Ａをセンタースピーカ１０の蓋として用いるようにした場合について述べたが、本発明はこれに限らず、後背部９Ａを無くし載置部９Ｂだけで車載機器用クレードル３を構成し、未使用時には当該載置部９Ｂを約２７０度回転させることにより載置部９Ｂをセンタースピーカ１０の蓋として用いるようにしても良い。
【００４３】
さらに上述の実施の形態においては、車載機器用クレードル３に取り付ける対象として液晶モニター付ＤＶＤプレーヤ４を用いるようにした場合について述べたが、本発明はこれに限らず、カーナビゲーションシステムのモニター部、ＰＤＡ(Personal Digital Assistant)、小型のノートブック型パーソナルコンピュータ、携帯電話機を対象とするようにしても良い。
【００４４】
さらに上述の実施の形態においては、車載機器用クレードル３がセンタースピーカ１０の設けられた本体ユニット２と一体に形成されているようにした場合について述べたが、本発明はこれに限らず、車載機器用クレードル３がＤＶＤプレーヤ、ＣＤプレーヤ、カーナビゲーションシステムの本体部等のセンターコンソールに収納されたその他種々の電子機器と一体に形成されているようにしても良い。
【００４５】
さらに上述の実施の形態においては、車載機器用クレードル３の載置台９を回動自在に保持する保持部として、スライドレール２１及び２２の先端内部と、載置部９Ａを挿通する軸１２とによって載置台９を回動自在に保持するようにした場合について述べたが、本発明はこれに限らず、図８に示すようにスライドレール２１及び２２の先端内部と、載置部９Ａの両側に分かれて設けられた２つの軸８２及び８３とによって載置台９を回動自在に保持するようにしても良い。
【００４６】
さらに上述の実施の形態においては、本体ユニット２の筐体前面に５．１ｃｈサラウンドシステムにおけるセンタースピーカ１０を搭載するようにした場合について述べたが、本発明はこれに限らず、当該センタースピーカではなくフロントスピーカを搭載するようにしても良い。
【００４７】
さらに上述の実施の形態においては、車載機器としての本体ユニット２の筐体前面にセンタースピーカ１０だけを設けるようにした場合について述べたが、本発明はこれに限らず、当該センタースピーカ１０の隣に所定径のダクトを設けることにより、センタースピーカ１０の振動版の背面から出た音の位相を反転して当該ダクトから外に放射させ、振動板の前面から出る音波を強めたバス・レフレックス型いわゆるバスレフ型のスピーカを構成するようにしても良い。
【００４８】
さらに上述の実施の形態においては、外部機器接続用端子として載置台９の接続端子１５が本体ユニット２の上部で一体に形成されているようにした場合について述べたが、本発明はこれに限らず、接続端子１５を本体ユニット２の背面側に設けるようにしても良い。この場合、本体ユニット２の上部には何も存在しないことになり美観的にも優れたものとなる。
【産業上の利用可能性】
【００４９】
本発明のスピーカ搭載車載機器は、例えば車内空間のセンターコンソールに収納される車載機器の前面に対してスピーカを搭載する用途に適用することができる。
【図面の簡単な説明】
【００５０】
【図１】クレードル一体型車載機器の構成を示す略線的斜視図である。
【図２】液晶モニター付ＤＶＤプレーヤが取付けられたクレードル一体型車載機器を示す略線図である。
【図３】モニター部が閉じた状態を示す略線図である。
【図４】載置台が下方向に回転した状態を示す略線図である。
【図５】載置台が収納された状態を示す略線図である。
【図６】液晶モニター付ＤＶＤプレーヤの回路構成を示す略線図である。
【図７】他の実施の形態におけるクレードル一体型車載機器（１）の構成を示す略線的斜視図である。
【図８】他の実施の形態におけるクレードル一体型車載機器（２）の構成を示す略線的斜視図である。
【符号の説明】
【００５１】
１、５１、８２……クレードル一体型車載機器、２……本体ユニット、３、５３……車載機器用クレードル、４……液晶モニター付ＤＶＤプレーヤ、５……モニター部、６……ＤＶＤプレーヤ本体部、７……ＤＶＤ、８、１５……接続端子、９、５９……載置台、１０……センタースピーカ、１１……電子回路、１２、７２、８２、８３……軸、２１、２２、６１、６２……スライドレール、３２、３３……突出部、３４……ストッパ、４１……ＣＰＵ、４２……ＲＯＭ、４３……ＲＡＭ、４４……ＤＶＤドライブ、４５……接続状態検出回路、４６……バス、４７……接続端子。
【図１】
2006222653.tif 000003
【図２】
2006222653.tif 000004
【図３】
2006222653.tif 000005
【図４】
2006222653.tif 000006
【図５】
2006222653.tif 000007
【図６】
2006222653.tif 000008
【図７】
2006222653.tif 000009
【図８】
2006222653.tif 000010